(57)【要約】【課題】撮影者の意図に沿った撮影シーンを簡単に設定できる撮影条件制御装置を提供する。  【解決手段】撮影条件がまとめて定められるシーン撮影モードを実行する撮影条件制御装置おいて、画面に対応した撮影者４２からの指示を検出する操作検出部と、上記画面４０に表示されるライブビュー画像上で撮影者から指定された被写体５２について、その被写体５２の種類を検出する被写体検出部と、上記撮影シーンとして被写体の種類に対応するよう用意された撮影シーンの中から、上記検出された被写体の種類に応じた撮影シーン５３を設定するシーン設定部と、上記設定される撮影シーンに応じて撮影条件を定める撮影条件設定部と、設定される撮影シーンの種類５０を上記ライブビュー画像上に表示させる表示制御部と、を備える。【選択図】図２
2010273167.tif 000002
【特許請求の範囲】
【請求項１】
被写体の種類に対応した撮影シーンが設定されることによって当該被写体の撮影に適した撮影条件がまとめて定められるシーン撮影モードを実行する撮影条件制御装置おいて、
画面に対応した撮影者からの指示を検出する操作検出部と、
上記画面に表示されるライブビュー画像上で撮影者から指定された被写体について、その被写体の種類を検出する被写体検出部と、
上記撮影シーンとして被写体の種類に対応するよう用意された撮影シーンの中から、上記検出された被写体の種類に応じた撮影シーンを設定するシーン設定部と、
上記設定される撮影シーンに応じて撮影条件を定める撮影条件設定部と、
上記設定される撮影シーンの種類の情報を上記ライブビュー画像上に表示させる表示制御部と、を備える、
ことを特徴とする撮影条件制御装置。
【請求項２】
被写体の種類に対応した撮影シーンが設定されることによって当該被写体の撮影に適した撮影条件がまとめて定められるシーン撮影モードにおいて、設定される撮影シーンに応じて上記撮影条件を定める撮影条件設定部と、
画面にライブビュー画像を表示させる表示制御部と、
画面に対応した撮影者からの指示を検出する操作検出部と、
上記ライブビュー画像上で上記被写体の種類を複数検出する被写体検出部と、
用意された複数の撮影シーンの中から、上記検出された複数の被写体の種類にそれぞれ対応する撮影シーンを撮影シーン候補に設定するシーン設定部と、を備え、
上記表示制御部は、上記選択された複数の撮影シーン候補の情報を上記ライブビュー画像に重畳して表示させ、
上記シーン設定部は、上記ライブビュー画像上に表示された複数の撮影シーン候補の中から撮影者の指示によって選択された撮影シーン候補を撮影シーンと設定し、
上記撮影条件設定部は、上記撮影シーン候補の中から撮影者の指示によって設定された撮影シーンに応じて撮影条件を定める
ことを特徴とする撮影条件制御装置。
【請求項３】
上記表示制御部は、上記撮影シーン候補の情報として、当該撮影シーン候補を現すアイコンを上記ライブビュー画像に重畳して表示させる
ことを特徴とする請求項２に記載の撮影条件制御装置。
【請求項４】
上記表示制御部は、上記アイコンを上記撮影シーン候補に対応する被写体の近傍にそれぞれ表示させる
ことを特徴とする請求項２に記載の撮影条件制御装置。
【請求項５】
上記表示制御部は、上記特定の撮影シーンが上記撮影条件設定部によって撮影条件として定められた後は、当該撮影条件として選択された特定の撮影シーンに対応する被写体と、当該撮影条件として選択されなかった撮影シーンに対応する被写体とを区別できる態様で、上記検出された複数の被写体を示す情報を表示させる
ことを特徴とする請求項５に記載の撮影条件制御装置。
【請求項６】
上記シーン設定部は、上記撮影シーン候補の中から上記撮影者の指示によって複数の撮影シーン候補が選択された場合には、当該複数の撮影シーン候補の撮影条件が満足される撮影シーンを選択する
ことを特徴とする請求項２に記載の撮影条件制御装置。
【請求項７】
請求項1乃至６のいずれか1項に記載された撮影条件制御装置を搭載した
ことを特徴とするカメラ。
【請求項８】
被写体の種類に対応した撮影シーンが設定されることによって当該被写体の撮影に適した撮影条件がまとめて定められるシーン撮影モードにおいて、設定される撮影シーンに応じて上記撮影条件を定める撮影条件制御処理をカメラのコンピュータに実行させるプログラムにおいて、
種類の異なる被写体が存在するライブビュー画像上で当該被写体の種類を複数検出するステップと、
上記検出された複数の被写体の種類に対応する撮影シーンを複数の撮影シーン候補として選択するステップと、
上記選択された複数の撮影シーン候補の情報を上記ライブビュー画像に重畳して表示させるステップと、
上記表示された複数の撮影シーン候補から撮影者の指示によって選択された撮影シーン候補を撮影シーンに設定するステップと、
上記設定された撮影シーンに応じて撮影条件を定めるステップと、をそれぞれ有する
ことを特徴とするプログラム。
【発明の詳細な説明】
【技術分野】
【０００１】
本発明は、デジタルカメラの各種撮影条件が撮影シーンに応じて最適に設定されるシーンモード撮影技術に関する。
【背景技術】
【０００２】
被写体に合わせてＡＥ・ＡＦ・ＡＷＢが自動設定されるオートモードはほとんどのカメラに搭載されていて、このオートモードであれば破綻のない画像を撮影することができる。だがオートモードだけでは、撮影時の雰囲気や被写体の特徴をうまく出すことはできないことが多いため、最近は  被写体に合わせて最適な撮影条件が設定されるシーン撮影モードの技術が開発され、利用されている。
【０００３】
シーン撮影モードとは、選択された被写体の種類に合わせて、その被写体が良く映るような撮影条件が自動的に設定されるモードである。例えば、シーンモードとして「ポートレイト」モードが選択されると、画素を細かくし絞りを浅く設定し、かつ色処理として肌色がきれいになるよう処理がされる。また、「夜景」モードが選択されると、シャッター速を遅くし、ＩＳＯ感度を高くし、光線に特殊効果を与えるフィルタ効果を追加する。シーンモードの搭載されたカメラの例としては、特許文献１で開示されるカメラがある。
【０００４】
さらに従来のシーン撮影モードでは用意されたシーンモードの中から撮影者自身が適当なシーンモードを選択しなければならなかったが、これを改良して、被写体の画像から撮影シーンの種別を自動的に判定する撮像装置も提案されている（特許文献２）。
【先行技術文献】
【特許文献】
【０００５】
【特許文献１】特開２００５−３１１８７８号公報
【特許文献２】特開２００８−１５４２６１号公報
【発明の概要】
【発明が解決しようとする課題】
【０００６】
撮影者がシーンモードの種類を選択する方式では、シーンメニューの中から適当なシーンを選択するという操作自体がわずらわしいことや、撮影者にシーンを選ぶだけの知識がないと正しい選択ができないというような問題がある。
【０００７】
撮影シーンが自動的に選択されるオートシーンモードが用意されているカメラでは、上記シーンメニューからの選択の煩わしさやシーン選択に必要な知識が要求されないので、問題がなく大変使いやすいように思える。しかし、実際の画面では、人、風景、花、家、太陽  等様々なものが混在するので、カメラで判断したシーンが、撮影者の希望のシーンの種類と必ず一致するとは限らないという問題がある。
【０００８】
本発明は、上記課題に鑑み、撮影者の意図に沿った撮影シーンを簡単に設定できる撮影条件制御装置、そのようなカメラおよびそのような処理を実行するプログラムを提供することを目的とする。
【課題を解決するための手段】
【０００９】
上記目的を達成するために、本発明による撮影条件設定装置は、被写体の種類に対応した撮影シーンが設定されることによって当該被写体の撮影に適した撮影条件がまとめて定められるシーン撮影モードを実行する撮影条件制御装置おいて、画面に対応した撮影者からの指示を検出する操作検出部と、上記画面に表示されるライブビュー画像上で撮影者から指定された被写体について、その被写体の種類を検出する被写体検出部と、上記撮影シーンとして被写体の種類に対応するよう用意された撮影シーンの中から、上記検出された被写体の種類に応じた撮影シーンを設定するシーン設定部と、上記設定される撮影シーンに応じて撮影条件を定める撮影条件設定部と、上記設定される撮影シーンの種類の情報を上記ライブビュー画像上に表示させる表示制御部と、を備えることを特徴とする。
【００１０】
また、本発明による撮影条件設定装置の別の態様としては、被写体の種類に対応した撮影シーンが設定されることによって当該被写体の撮影に適した撮影条件がまとめて定められるシーン撮影モードにおいて、設定される撮影シーンに応じて上記撮影条件を定める撮影条件設定部と、画面にライブビュー画像を表示させる表示制御部と、画面に対応した撮影者からの指示を検出する操作検出部と、上記ライブビュー画像上で上記被写体の種類を複数検出する被写体検出部と、用意された複数の撮影シーンの中から、上記検出された複数の被写体の種類にそれぞれ対応する撮影シーンを撮影シーン候補に設定するシーン設定部と、を備え、上記表示制御部は、上記選択された複数の撮影シーン候補の情報を上記ライブビュー画像に重畳して表示させ、上記シーン設定部は、上記ライブビュー画像上に表示された複数の撮影シーン候補の中から撮影者の指示によって選択された撮影シーン候補を撮影シーンと設定し、上記撮影条件設定部は、上記撮影シーン候補の中から撮影者の指示によって設定された撮影シーンに応じて撮影条件を定める  ことを特徴とする。
【発明の効果】
【００１１】
本発明によれば、撮影者の意図に沿った撮影シーンを簡単に設定できる撮影条件制御装置、そのようなカメラおよびそのような処理を実行するプログラムを提供することができる。
【図面の簡単な説明】
【００１２】
【図１】図1は、本発明の実施の形態の撮影条件制御装置を搭載したデジタルカメラの構成を示すブロック図である。
【図２】図２は、ダイレクト設定のモードにおいて、撮影シーン設定の操作画面の例を、順番に説明する図である。
【図３】図３は、ダイレクト設定のモードにおいて、図３と違う被写体が指定された場合の撮影シーン設定の操作画面の例を、順番に説明する図である。
【図４】図４は、選択設定のモードにおける操作画面の例を説明する図である。
【図５】図５は、選択設定のモードにおいて、図４と異なる操作画面の例を説明する図である。
【図６】図６は、選択設定のモードにおいて、結合可能な撮影シーンが選択された場合の画面操作の例を説明する図である。
【図７】図７は、選択設定のモードにおいて、結合不可能な撮影シーンが選択された場合の画面操作の例を説明する図である。
【図８】図８は、撮影条件制御装置による撮影シーンの設定処理の流れを説明するメインのフローチャートである。
【図９】図９は、図８のフローチャートのサブルーチンで、ダイレクト設定のモードの流れを説明するフローチャートである。
【図１０】図１０は、図８のフローチャートのサブルーチンで、選択設定のモードの流れを説明するフローチャートである。
【発明を実施するための形態】
【００１３】
以下、図面を参照して、本発明を実施するための形態について説明する。図１は、本発明の実施の形態の撮影条件制御装置を搭載したデジタルカメラの構成を示すブロック図である。
【００１４】
本発明の実施形態に係るデジタルカメラ１は、制御部１１、プログラムデータ記憶部１２、ボタン操作部１３、タッチパネル操作部１４、撮像部１５、ＳＤＲＡＭ１６、画像処理部１７、表示制御部１８、表示部１９、圧縮伸長部２０、記録再生部２１、画像記憶部２２、バスライン２５を主要部として備える。
【００１５】
制御部１１は、プログラムデータ記憶部１２に記憶されたプログラムを読み込んで、デジタルカメラ１の全体を統括的に制御するＣＰＵである。本実施形態の特徴の１つであるシーン撮影モードにおいて、制御部１１は、プログラムに従って撮影条件制御の各処理を実行するが、便宜上各処理を撮影条件設定部１１ａ、シーン設定部１１ｂ、被写体検出部１１ｃ、操作検出部１１ｄ  という機能部として表現する。
【００１６】
シーン撮影モードとは、選択された被写体の種類に合わせて、その被写体が良く映るような撮影条件がまとめて設定されるモードである。例えば、シーンモードとして「ポートレイト」モードが選択されると、絞りを浅く設定し、かつ色処理として肌色がきれいになるよう処理がされる。また、「夜景」モードが選択されると、シャッター速を遅くし、ＩＳＯ感度を高くし、好みによっては光線に特殊効果を与えるフィルタ効果を追加する。シーン撮影モードの全体は、制御部１１によって制御される。
【００１７】
また本実施形態では、シーン撮影モードとして、ダイレクト設定と選択設定の２つのモードが選択的に用意されている。ダイレクト設定のモードとは、撮影者によってライブビュー画像上で被写体が選択されると、選択された被写体に対応する撮影シーンが直ちに設定されるモードである。選択設定のモードとは、撮影者の指示があると、まず選択可能な複数の撮影シーン候補が画面に表示され、この撮影シーン候補の中から撮影者に選択されたシーンが、撮影シーンとして設定されるモードである。
【００１８】
撮影条件設定部１１ａは、被写体の種類に対応した撮影シーンが設定されることによって当該被写体の撮影に適した撮影条件がまとめて定められるシーン撮影モードにおいて、設定される撮影シーンに応じて撮影条件を定めるものである。撮影条件設定部１１ａは、シャッタースピード、画素数、ストロボ条件、ピント条件、あるいはコントラストや色補正等の各種撮影条件を設定する。撮影条件設定部１１ａによって設定された条件や値に応じて、撮像部１５あるいは画像処理部１７が制御される。
【００１９】
シーン設定部１１ｂは、撮影シーンとして被写体の種類に対応するよう用意された撮影シーンの中から、検出された被写体の種類に応じた撮影シーンを設定するものである。複数の被写体の種類と対応する各撮影シーンに関するデータは、予め用意された撮影シーンデータの中に格納されている。
【００２０】
また、シーン設定部１１ｂは、選択設定のモードでは、検出された複数の被写体の種類に対応する撮影シーンをそれぞれ撮影シーン候補として選択し、当該撮影シーン候補の中から撮影者の指示によって１以上の撮影シーンを設定する。
【００２１】
被写体検出部１１ｃは、ライブビュー画像が表示される画面上で撮影者から指定された被写体についての種類を検出するものである。具体的には、被写体検出部１１ｃは、画面上で操作者から指示された位置に存在する画像データを、全体の画像データの中から抽出して、その被写体の種類を判断する。被写体の種類を判断するために、まず被写体の特徴、例えば、形状、色、顔の有無、画面全体との関係、撮影日時等を抽出する。これらの特徴を、プログラムデータ記憶部１２に記憶された被写体データベースと対比して、被写体の種類を特定する。また、被写体の一部に顔が存在すれば被写体は人物と判断する。
【００２２】
操作検出部１１ｄは、画面に対応した撮影者からの指示を検出するものである。具体的には、操作検出部１１ｄは、ボタン操作部１３およびタッチパネル１４からの出力された信号から、操作内容を検出する。
【００２３】
プログラムデータ記憶部１２は、フラッシュメモリ等の不揮発性のメモリから構成され、制御部１１の処理実行用のプログラム、および指示された被写体の種類を特定するための被写体データベースのデータが格納される。また、撮影シーンデータや画面に表示されるアイコンやウインドの画像データも格納される。
【００２４】
ボタン操作部１３は、デジタルカメラ１の背面や上面に設けられた操作部で、撮影の実行指示のためのレリーズボタンや、撮影モード・再生モード等の切り替えのためのメニューボタンが、含まれる。
【００２５】
タッチパネル操作部１４は、デジタルカメラ１の背面に配置される表示部１９に重ねるように設けられ、操作者のタッチ入力やタッチされたまま移動される指の軌跡を検出する。
【００２６】
撮像部１５は、レンズから撮像素子までを含む光学部と、撮像素子を駆動する駆動回路や撮像素子から出力される光電変換信号を処理してデジタルの画像データとして出力する信号処理部からなる。光学部は、被写体像を結像するレンズと、レンズの位置を移動させるＡＦ機構部とズーム機構部、被写体光束を絞る絞り部等から構成される。
【００２７】
信号処理部は、撮像素子から出力される光電変換信号について、ノイズを低減させるためのＣＤＳ回路、信号レベルを適切なレベルにまで増幅するＡＧＣ回路、これらで処理されたアナログ画像信号をデジタルの画像データに変換するＡＤ回路等から構成される。
【００２８】
ＳＤＡＭ１６は、一時的なメモリで、画像のデジタル処理に利用されるワーキングエリアである。ＳＤＡＭ１６は、撮像部１５から出力されるデジタル画像信号が一時的に格納され、画像処理部１７による画像処理が実行される。同様に、表示制御部１８あるいは圧縮伸長部２０が各処理を実行する際にも利用される。
【００２９】
画像処理部１７は、撮像部１５から出力される画像データに対して、ライブビュー画像あるいは記録画像用に、所定のガンマ処理、画素補間処理、色補正処理、ＹＣ変換等を実行する。画像処理部１７は、シーン撮影モードでは、設定された撮影条件の内容に応じて、色補正やコントラスト補正、あるいは、顔処理であれば例えばスムージング処理の強度を変更する。
【００３０】
表示制御部１８は、表示部１９に表示するために、撮影された画像データの画素数を表示画素数に変換する処理、および表示用に画素数変換したライブビュー画像や記録画像に、更にメニューの文字や撮影シーンの種類を示すアイコンあるいは、カーソル等の情報等を被写体画像に重ねる処理を実行する。
【００３１】
表示部１９は、ＬＣＤあるいはＥＬパネルから構成されてデジタルカメラ１の背面に配置され、表示制御部１８から出力されるライブビュー画像、撮影された記録画像あるいは、メニュー情報が表示されるメニュー画面が表示される。
【００３２】
圧縮伸長部２０は、撮影画像の画像データを画像記憶部２２に記録する際、あるいは画像記憶部２２に記録されている画像データを表示する際等において、周知のＪＰＥＧ方式等に基づく画像データの圧縮処理や伸長処理を行う。
【００３３】
記録再生部２１は、画像記憶部２２に対して圧縮された画像データを書き込んだり、逆に画像記憶部２２から圧縮された画像データの読み出しを行うものである。画像記憶部２２は、例えばｘＤピクチャーカード（登録商標）やコンパクトフラッシュ（登録商標）のカメラ本体に着脱可能な記録媒体あるいはＨＤＤである。バスライン２５は、上記各構成要素をデータラインとアドレスラインで結合するものである。
【００３４】
ここまでがデジタルカメラ１の主たる構成要素の説明であるが、シーン撮影モードでの撮影条件設定に係るプロセスを簡単に説明すると以下のようである。
【００３５】
操作検出部１１ｄによって撮影者から指定された被写体が検出され、被写体検出部１１ｃによって被写体の特徴が被写体データベースのデータと対比されて被写体の種類が検出される。そして、シーン設定部１１ｂによって、検出された被写体の種類からシーンデータの中でその被写体の種類に適した撮影シーンが選択され設定される。さらに撮影条件設定部１１ａによって、撮影シーンに応じて定められている各種撮影条件に、撮像部１５・画像処理部１７等の各パラメータが設定される。また、表示制御部１８によって操作画面が制御され、設定されたアイコンが表示される。
【００３６】
これら、制御部１１、撮影条件設定部１１ａ、シーン設定部１１ｂ、被写体検出部１１ｃ、操作検出部１１ｄ、表示制御部１８のすべてあるいは一部の組合せを撮影条件制御装置とも呼ぶ。
【００３７】
以上のデジタルカメラ１を用いてシーン撮影モードにおいて行われる、各処理の内容と画面を図２以降で具体的に説明するが、最初に、被写体と対応して導かれる撮影条件との関係の例を表１で説明する。
【表１】
2010273167.tif 000003
【００３８】
表１には、８例を示す。まず第１の例は、被写体が「夕日」の場合である。被写体の特徴として、「色（赤系）と輝度が周囲から突出して異なっている。周囲が低コントラスト。形状が円、距離無限遠 、撮影日時が夕方」の条件の大部分が具備されていれば、被写体検出部１１ｃによって、被写体の種類は「夕日」であると検出される。そして、被写体の種類が夕日であると検出すると、シーン設定部１１ｂによって、「夕焼け」の撮影シーンが設定される。そして、撮影条件設定部１１ａによって、撮影シーン「夕焼け」に対応した撮影条件として、「画像処理部で、画面全体で赤・黄色を強調。ピントはオート。輝度はややアンダー」等が設定される。
【００３９】
第２の例は、被写体が「山」の場合である。被写体の特徴として、「ピント無限遠、コントラストが低い、色が茶系か緑系で、形状が山の特徴を示す」の条件の大部分が満足されれば、被写体検出部１１ｃによって、被写体の種類は「山」であると検出される。これをうけて、シーン設定部１１ｂによって、「遠い風景」の撮影シーンが設定される。そして、撮影条件設定部１１ａによって、「ピントはオート 、山の周囲の青や緑の色がきれいになるように処理、輝度はやや明るめ」等の撮影条件が設定される。第３の例以降については、以下の画面の内容で随時説明するが、第１，２と同様なロジックに基づき撮影条件を設定するものである。
【００４０】
次に、デジタルカメラ１を用いて行われる、撮影条件の設定操作と対応する画面についてを図２から図７で、撮影シーン設定の処理の流れを図８、９、１０で、それぞれ説明する。
【００４１】
図２は、シーン撮影モードの中のダイレクト設定のモードによる、撮影シーン設定の操作画面を説明する図である。（１）、（２）、（３）の順番に画面が切り替わってゆく。
図２（１）は、ダイレクト設定のモードが選択されているが、具体的な撮影シーンがまだ設定されておらず、デフォルトの撮影モードとしてオートモードが設定されている状態である。オートモードとは、ＡＥ・ＡＦ・ＡＷＢが設定され最も標準的な条件で撮影されるモードである。
【００４２】
画面４０にはライブビュー画像が表示されている。ライブビュー画像として、「海に沈む夕日をバックにし、左右の男女２人が中央でグラスを合わせて乾杯し、グラスの下にはりんごが置いてある」という場面である。前述したようにオートモードに設定されているので、このライブビュー画像も、オートモードによる画像処理（色補正等）がなされた画像として表示されている。
【００４３】
画面４０の左上隅には、現在の撮影モードを示す撮影モードアイコン５０が表示される。現在はオートモードに設定されているので、撮影モードアイコン５０としてオートモードを示すアイコンが表示されている。そしてこの状態で、撮影者の指４２が、タッチパネル１４を介して被写体５２である夕日が表示されている部分にタッチされたとする。
【００４４】
図２（２）は、撮影者の指４２が被写体５２（夕日）の表示部分にタッチされた後の画面である。操作検出部１１ｄによって、画面にタッチされたことが検出され、そして、検出された画面上の位置（夕日の位置）が被写体検出部１１ｃに通知される。被写体検出部１１ｃは、検出された画面上の位置に対応する領域の画像データを、ライブビュー画像の画像データから抽出して、抽出した画像データの特徴を検出する。ここで、特徴とは、表１の第１の例で示したような特徴である。
【００４５】
そして、被写体検出部１１ｃは、この抽出した画像データの特徴を被写体データベースと比較して、被写体の種類を検出する。ここで、被写体検出部１１ｃは、上記特徴から「夕日」と検出したとし、検出した被写体の種類が「夕日」であることをシーン設定部１１ｂに通知する。続いて、シーン設定部１１ｂは、被写体の種類「夕日」に適した撮影シーンとして撮影シーンデータの中から「夕焼け」を選択し、撮影シーンとして「夕焼け」を設定したとする。
【００４６】
撮影条件設定部１１ａは、シーン設定部１１ｂで設定された撮影シーン「夕焼け」に対応する撮影条件、つまり表１の第１の例で示したような条件を、撮像部１５や画像処理部１７に設定する。同時に画面では、表示制御部１８によって、画面４０のタッチされた夕日の部分を囲むように、撮影シーンの基になった被写体を示すためのシーンカーソル５６が表示される。また、表示制御部１８によって、撮影シーン「夕焼け」を示すアイコン５３を被写体５２（夕日）の部分から撮影モードアイコン５０まで、ｐで示す方向にアニメーション的に移動させる。
【００４７】
図２（３）は、アイコン５３が撮影モードアイコン５０まで移動して、撮影モードアイコンの表示が、夕焼けを示すアイコンに切換わった画面である。図２（３）では、シーンカーソル５６は消去されているが、残しておくよう処理してもよい。
【００４８】
図３は、図２と同じくダイレクト設定のモードによる操作画面の例で、異なる被写体が指示された例を説明する図である。図３（１）は、図２と同じライブビュー画像の場面で、左にいる女性の顔の部分が撮影者によってタッチ指示された場面である。被写体検出部１１ｃによって、指示された被写体の種類が被写体データベースとの対比で「顔」であると検出され、シーン設定部１１ｂによって、撮影シーンとして表１の第３で示す「ポートレイト」が設定される。
【００４９】
そして、画面４０では、表示制御部１８によって、女性の顔の部分にシーンカーソル５６が重畳して表示され、撮影シーンが「ポートレイト」であることを示す女性の顔のアイコン５３が女性の顔の部分の近傍から撮影モードアイコン５０までアニメーション的に移動するよう表示される。
【００５０】
図３（２）は、「ポートレイト」のアイコン５３が撮影モードアイコン５０まで移動して、撮影モードアイコンの表示が、「ポートレイト」のアイコンに切換わった様子を示す画面である。なお、図２（３）では、撮影シーンの切換え後、シーンカーソル５６は消去されていたが、本例は、シーンカーソル５６をそのまま残して表示している例である。このシーンカーソル５６は被写体の移動に合わせて移動して表示される。シーンカーソル５６を継続して表示させることによって、撮影シーンの基になっている被写体が明確に分かる。
【００５１】
そして、撮影条件設定部１１ａによって、「ポートレイト」に対応する撮影条件として、顔の領域に顔がはっきり映る処理、例えば顔の部分のＩＳＯ感度を上げるよう画像処理部１７に指示がされる。
【００５２】
図３（３）は、同時に２つの撮影シーンが設定される画面の例である。図３（３）は、図３（１）と同様に、左にいる女性の顔の部分が撮影者によってタッチ指示された場面である。ここでは、被写体検出部１１ｃによって、指示された被写体の種類が「女性の顔」でかつ、「その顔が動いている」と検出されたとする。すると、シーン設定部１１ｂによって、撮影シーンとして「ビューティ」及び「人物動画」が設定される。「ビューティ」及び「人物動画」は、表１の第４、第５で示す撮影シーンである。
【００５３】
撮影条件設定部１１ａによって、「ビューティ」に対応する撮影条件として、顔の領域に顔がきれいに映る処理、例えば肌のスムーズィング処理を施すよう画像処理部１７に指示がされる。同じく、「人物動画」に対する撮影条件が設定される。そして、表示制御部１８によって、「ビューティ」及び「人物動画」を示すアイコン５３が、タッチされた被写体の近傍ではなく、画面４０の上側に表示される。撮影シーンを示すアイコンが指示された被写体の近傍に配置されると、被写体の確認の邪魔になる場合もなるので、それを避けるような位置に表示させるようにしてもよい。
【００５４】
以上が、ダイレクト設定のモードによる撮影シーンの設定の操作画面である。このダイレクト設定のモードによれば、ライブビュー画像上で雰囲気を出したい被写体や希望の被写体を指示するだけで、その被写体を強調あるいは適した画像が撮影されるような撮影条件が自動的に設定されるので、撮影シーンに対する知識がないユーザーであっても、単にオートモードで撮影されるような一般的な画像でない、味のある画像の撮影をすることが確実でかつ簡単にできるようになる。
【００５５】
図４は、シーン撮影モードの中の選択設定のモードによる操作画面を説明する図である。図４（１）〜（４）は一連の流れを時間順で示す画面で、図４（５）は、図４（４）の他の表示例を示す。図４では、「夕方の海岸で山を背景にしてジョギングしている女性と波打ち際にいる犬」というライブビュー画像を例にしている。
【００５６】
図４（１）では、撮影者により撮影シーンが設定される前の画面で、デフォルトの撮影シーンとしてオートモードが設定されていて、画面４０左上の撮影モードアイコン５０にはオートモードのアイコンが表示されている。選択設定のモードへの設定は、事前に撮影者により図示しないメニュー画面で設定されているものとする。
【００５７】
図４（２）は、撮影シーン候補の選択を開始する操作がされた画面である。開始操作としては、例えば画面４０に対するダブルクリック操作であるが、ボタン操作部１３による操作としてもよい。開始操作がされると、被写体検出部１１ｃは、画面全体の中から色・形状・動き等特徴的な被写体を抽出して、この特徴的な被写体と被写体データベースに登録されている被写体と比較して、画面全体に存在する被写体の種類を検出する。
【００５８】
ここで、被写体検出部１１ｃは、上記特徴から「夕日」、「運動中の人物」、「山」、「動物」の計４つを被写体の種類と検出して、これをシーン設定部１１ｂに通知するとする。シーン設定部１１ｂは、今回の選択設定のモードにおいては、検出された複数の被写体の種類に対応して導かれる、「夕焼け」、「スポーツ」、「遠い風景」、「動物」についてを撮影シーン候補と設定する。これに応じて、画面４０には、表示制御部１８によって、「夕日」、「運動中の人物」、「山」、「動物」の各被写体に、シーン候補カーソル５８が表示される。このシーン候補カーソル５８は被写体の移動に合わせて移動して表示される。
【００５９】
図４（３）は、図４（２）のシーン候補カーソル５８が表示されている画面で、「運動中の人物」のシーン候補カーソル５８が撮影者の指４２でタッチされて、撮影シーンがオートモードから「運動中の人物」に対応する「スポーツ」に切換わり設定される様子である。シーン設定部１１ｂによって、上記４つのシーン候補の中から、「運動中の人物」に対応する「スポーツ」が撮影シーンとして設定され、撮影条件設定部１１ａに通知される。また、表示制御部１８によって、「スポーツ」のアイコン５４が、撮影モードアイコン５０にアニメーション的に移動するよう表示される。合わせて、撮影条件設定部１１ａによって、「スポーツ」の撮影条件に設定される。
【００６０】
図４（４）は、撮影シーンが「スポーツ」に設定された後の画面である。そして、ここでは、切換え後も、表示制御部１８によって「運動中の人物」にはシーンカーソル５６を画面に表示させる例を示す。現在の撮影シーンに対応する被写体がどの被写体であるかがを明確になるからである。
【００６１】
図４（５）は、撮影シーンが「スポーツ」に設定された後の画面で、他の表示例である。ここでは、表示制御部１８によって「運動中の人物」にシーンカーソル５６が表示されるとともに、再度の撮影シーンの切換えも簡単なように、シーン候補カーソル５８も継続して表示される。この際、シーンカーソル５６は、画面上でシーン候補カーソル５８と容易に識別できるように、相互に異なる形状や色で表示される。
【００６２】
図５（１）は、図４（２）の状態における別な表示例である。図４（２）では、複数のシーン候補カーソル５８がそれぞれ対応する被写体に重畳するように表示されたが、図５（１）では、シーン候補カーソル５８の代わりに、候補となる撮影シーンのアイコンである候補アイコン５４を表示させるようにしている。つまり、「夕日」、「運動中の人物」、「山」、「動物」の各被写体に、「夕焼け」、「運動中の人物」、「遠い風景」、「動物」に相当する候補アイコン５４が、表示制御部１８によって、その近傍あるいはその上に重畳されるよう表示される。本例では、撮影シーンの候補に、カーソルではなくアイコンを表示させるようにしたので、選択可能なシーンの内容がより分かりやすく表現できる。
【００６３】
図５（２）は、図５（１）における他の表示例である。図５（１）の画面では、候補アイコン５４が対応する被写体の近傍あるいはその上に重畳されるよう表示されていたが、本例では、表示制御部１８によって、候補アイコン５４は画面４０の下方に一列にまとめて表示される。候補アイコン５４はシーン候補カーソル５８に比べて画面上で目立つので、被写体のそばに配置すると撮影の邪魔にある場合もある。画面の下方に並べるように配置させておけば、候補アイコン５４を表示させても撮影の邪魔になるおそれが減るからである。
【００６４】
図６は、選択設定のモードにおいて、検出された２つの撮影シーンを結合させる操作画面の例を示す図である。図６（１）から（６）の順番で推移する。図６（１）は、撮影シーンの切換え前の画面で、撮影シーンには、デフォルトとしてオートモードが設定されていて、画面４０左上の撮影モードアイコン５０にはオートモードのアイコンが表示されている。画面４０に表示されているライブビュー画像は、「夜間に高層ビルを背景にして携帯電話で話している男性」という画像である。
【００６５】
図６（２）は、撮影シーンの選択設定を開始する操作がされた画面である。開始操作としては、例えば画面４０に対するダブルクリック操作であるが、ボタン操作部１３による操作としてもよい。開始操作がされると、被写体検出部１１ｃによって、画面全体の中から色・形状・動き等特徴的な被写体が抽出され、この特徴的な被写体と被写体データベースに登録されている被写体とが比較され、画面全体に存在する被写体の種類が検出される。
【００６６】
ここで、被写体検出部１１ｃによって、上記特徴から「人物」、「夜間のビル」の２つが被写体の種類と検出され、これがシーン設定部１１ｂに通知されたとする。シーン設定部１１ｂによって、被写体の種類「人物」と「夜間のビル」に対応する「人物」と「夜景」の２つがシーン候補と設定される。これに応じて、画面４０には、表示制御部１８によって、「人物」にシーン候補カーソル５８ａ、「夜間のビル」にシーン候補カーソル５８ｂが表示される。このシーン候補カーソル５８ａ、５８ｂも被写体の移動に合わせて移動して表示される。
【００６７】
図６（３）は、シーン候補カーソル５８ａ、５８ｂが表示された画面で、「人物」のシーン候補カーソル５８ａ及び「夜間のビル」のシーン候補カーソル５８ｂがそれぞれ、撮影者の指４２でタッチされて、表示制御部１８によって、シーン候補カーソル５８ａの近傍に候補アイコン５４ａが表示され、シーン候補カーソル５８ｂの近傍に候補アイコン５４ｂを表示された画面である。
【００６８】
図６（４）は、図６（３）で「人物」の候補アイコン５４ａと「夜景」の候補アイコン５４ｂが表示された後に、候補アイコン５４ａと５４ｂが、破線で示す方向ｐ、つまり互いに両者の中間位置を目指してアニメーション的に移動していく様子を示す図である。
【００６９】
図６（５）は、「人物」の候補アイコン５４ａと「夜景」の候補アイコン５４ｂが結合して、新たな「人物・夜景」のアイコン５３に表示が切換わり、切換わったアイコン５３が、撮影モードアイコン５０に向かって破線で示す方向ｐにアニメーション的に移動する。撮影シーン「人物・夜景」は、表１の９番目で示す例である。シーン設定部１１ｂによって、撮影シーンが「人物・夜景」に設定される。
【００７０】
図６（６）は、撮影モードアイコン５０の表示が、撮影モードアイコン５０まで移動された撮影シーン「人物・夜景」のアイコン５３に切換わった様子を示す画面である。
【００７１】
以上のように、選択設定モードにおいて、単一の撮影シーンを選択するだけでなく、複数の撮影シーンを結合も可能にしたので、より撮影者の撮影意図を反映した撮影条件の設定が可能になる。
【００７２】
図７は、選択設定のモードにおいて、検出された２つの撮影シーンの結合操作ができない場合の画面例である。図７（１）は、撮影シーンの切換え前の画面で、撮影シーンには、デフォルトとしてオートモードが設定されていて、画面４０左上の撮影モードアイコン５０にはオートモードのアイコンが表示されている。画面４０に表示されているライブビュー画像は、「夜間に高層ビルを背景にしてジョギングしている女性」という画像である。
【００７３】
図７（２）は、撮影シーンの選択設定を開始する操作がされて、２つのシーン候補カーソル５８ａ、５８ｂが表示され、この後にシーン候補カーソル５８ａ、５８ｂが撮影者の指でタッチされて、候補アイコン５４ａ、５４ｂが表示された画面である。
【００７４】
また、上記画面に至る処理を簡単に説明する。開始操作としては、例えば画面４０に対するダブルクリック操作であるが、ボタン操作部１３による操作としてもよい。開始操作がされると、被写体検出部１１ｃによって、画面全体の中から色・形状・動き等特徴的な被写体が抽出され、この特徴的な被写体と被写体データベースに登録されている被写体とが比較されて、画面全体に存在する被写体の種類が検出される。
【００７５】
具体的には、被写体検出部１１ｃによって、上記特徴から「運動中の人物」、「夜間のビル」の２つが被写体の種類と検出され、シーン設定部１１ｂに通知されるとする。そして、シーン設定部１１ｂによって、被写体の種類「運動中の人物」と「夜間のビル」に対応する「スポーツ」と「夜景」の２つがシーン候補と設定されるとする。これに応じて、画面４０には、表示制御部１８によって、「運動中の人物」にシーン候補カーソル５８ａ、「夜間のビル」にシーン候補カーソル５８ｂが表示される。このシーン候補カーソル５８ａ、５８ｂも被写体の移動に合わせて移動して表示される。さらに、シーン候補カーソル５８ａ、５８ｂへのタッチ指示によって、シーン候補カーソル５８ａ、５８ｂの近傍に、候補アイコン５４ａ、５４ｂが表示される。
【００７６】
しかし、ここで、「スポーツ」と「夜景」の撮影シーンは結合させることのできない組み合わせであるとする。シャッタースピードの点で、「スポーツ」は高速、「夜景」は低速が要求されるからである。そして、選択された撮影シーンが結合できない撮影シーンの組合せであることを撮影者に明確に理解させるために、表示制御部１８によって、以下のような表示を行わせる。
【００７７】
図７（３）で示すように、「スポーツ」と「夜景」のそれぞれの候補アイコン５４ａ、５４ｂが、破線で示す方向ｐ、つまり両者の中間点に向かってアニメーション的に移動させる。続いて、図７（４）に示すように、候補アイコン５４ａ、５４ｂが中間点で衝突して、候補アイコン５４ａ、５４ｂがＵターンして元の位置に引き返すよう表示させる。
【００７８】
図７（５）は、「スポーツ」と「夜景」のそれぞれの候補アイコン５４ａ、５４ｂが元の位置に戻った状態である。ここから、撮影者は、いずれかの候補アイコンを再度選択することができる。
【００７９】
以上のように、結合のできない撮影シーンが選択された場合には、結合できないことが画面上で明確に示されるので、撮影者はその意味がより理解できるようになる。
【００８０】
図８から図１０は、シーン撮影モードに設定されたデジタルカメラ１において、これまで説明した撮影シーンの設定処理の流れを説明するフローチャートである。まず、図８は、撮影シーンの設定処理の全体を説明するメインのフローチャートである。なお、これらの処理は、制御部１１、撮影条件設定部１１ａ、シーン設定部１１ｂ、被写体検出部１１ｃ、操作検出部１１ｄ、表示制御部１８等によって主に実行される。
【００８１】
ここで、デジタルカメラ１は、撮影モードで、かつシーン撮影モードに既に設定されているとする。撮影モードにおいては、制御部１１は一定のフレームレイトでライブビュー画像を連続的に表示させる（ステップＳ１１）。図２でも説明したように、シーン撮影モードにおいて、撮影シーンのデフォルトはオートモードである。次に、制御部１１は、シーン撮影モードでの具体的なモードとして、ダイレクト設定モードあるいは選択設定モードのいずれが選択されたかを判断する（ステップＳ１２）。ダイレクト設定モードまたは選択設定モードは、図示しないメニュー画面で選択されるものとする。制御部１１は、ダイレクト設定モードが選択されたと判断する場合には（ステップＳ１２ＹＥＳ）、ダイレクト設定モードの処理を実行する（ステップＳ１３）。
【００８２】
図９は、ダイレクト設定モードの処理を具体的に説明するサブルーチンのフローチャートである。制御部１１は、ライブビュー画像が表示されている画面上で、操作検出部１１ｄによって、撮影者によりいずれかの被写体を指定する操作がされたかを判断する（ステップＳ２１）。制御部１１は、被写体を指定する操作がされていないと判断すると（ステップＳ２１ＮＯ）、図９のサブルーチンのフローを終了して、図８のステップＳ１５に進む。
【００８３】
制御部１１は、被写体を指定する操作があったと判断すると（ステップＳ２１ＹＥＳ）、ステップＳ２２に進む。図２（１）で示す場面である。被写体抽出部１１ｃは、指定された被写体を抽出し（ステップＳ２２）、指定された被写体の種類を決定する（ステップＳ２３）。具体的には、被写体抽出部１１ｃは、ライブビュー画像から指定された領域の画像データを抜き出し、抜き出した画像データについての特徴を見つける。特徴は、指定された被写体だけでなく、指定された被写体と画面全体との関係や撮影日時等の条件も考慮する。そして、指定された被写体の特徴部をプログラムデータ記憶部１２に記憶された被写体データベースと比較して、被写体の種類を決定する。指定された被写体に特徴が少ない場合や、特徴があっても、被写体データベースに登録されていない種類であった場合には、被写体の種類を決定することはできない。被写体抽出部１１ｃは、被写体の種類の決定ができたか否かを制御部１１に通知する。
【００８４】
制御部１１は、被写体抽出部１１ｃからの通知によって被写体の種類が決定されたかを判断する（ステップＳ２４）。制御部１１は、被写体の種類が決定されなかった判断する場合には（ステップＳ２４ＮＯ）、図９のサブルーチンのフローを終了して、図８のステップＳ１５に進む。
【００８５】
制御部１１は、被写体の種類が決定されたと判断する場合には（ステップＳ２４ＹＥＳ）、ステップ２５に進む。シーン設定部１１ｂは、プログラムデータ記憶部１２に記憶された撮影シーンデータの中から被写体の種類に応じた撮影シーンを選択し（ステップＳ２５）、新たな撮影シーンとして設定する（ステップＳ２６）。撮影条件設定部１１ａは、現在に撮影シーンを設定された新たな撮影シーンに変更し、これに応じて新たな撮影条件を定める。例えば、画像処理部１７は、ライブビュー画像に対する画像処理の条件を変更する。
【００８６】
表示制御部１８は、新たな撮影シーンの設定に応じて撮影モードアイコン等の表示を変更する（ステップＳ２７）。具体的には、表示制御部１８は、図２（２）、（３）あるいは図３（１）、（２）の画面で示したように、設定された撮影シーンに対応するアイコン５３を指定された被写体の近傍に表示してからそのアイコン５３を撮影モードアイコン５０の側に移動させて、撮影モードアイコンの内容を変更する。新たな撮影シーンが設定された後、図８のステップＳ１５に進む。
【００８７】
ステップＳ１５以降では、制御部１１は、割り込み操作の代表としてオフ操作とレリーズ操作があったかを判断し、なければ撮影シーンの設定処理を繰り返す。
【００８８】
まず、制御部１１は、オフ操作がされたかを判断する（ステップＳ１５）。オフ操作は、ボタン操作部１３によりなされる操作である。制御部１１は、オフ操作がされたと判断すると（ステップＳ１５ＹＥＳ）、デジタルカメラ１の電源終了処理を実行する。
【００８９】
制御部１１は、オフ操作がされていないと判断すると（ステップＳ１５ＮＯ）、撮影実行の指示であるレリーズ操作がされたかを判断する（ステップＳ１６）。制御部１１は、レリーズ操作がされていないと判断すると（ステップＳ１６ＮＯ）、ステップＳ１１に戻る。制御部１１は、レリーズ操作がされたと判断すると（ステップＳ１６ＹＥＳ）、設定された撮影条件で撮影処理を実行して（ステップＳ１７）、ステップＳ１１に戻る。以上で、ダイレクト設定モードの流れの説明を終わる。
【００９０】
次に、選択設定モードの処理の説明をする。図８のステップＳ１２において、制御部１１は、ダイレクト設定モードが選択されていないと判断すると（ステップＳ１２ＮＯ）、選択設定モードの処理を実行する（ステップＳ１３）。図１０は、選択設定モードの処理を具体的に説明するサブルーチンのフローチャートである。
【００９１】
制御部１１は、操作検出部１１ｄによって、ライブビュー画像が表示されている画面上で、撮影者により撮影シーン候補選択の指示操作がされたかを判断する（ステップＳ３０）。指示操作としては、例えばダブルクリックである。図４（１）で示した画面である。
【００９２】
撮影シーン候補選択の指示操作がないと判断したら（ステップＳ３０ＮＯ）、ステップＳ３１に進む。ステップＳ３１では、シーン候補の選択が既にされた後であれば、ステップ３６にジャンプする必要があるので、制御部１１は、ステップ３１でその判断をする。制御部１１は、既に画面にシーン候補が選択済みであれば（ステップＳ３１ＹＥＳ）、ステップ３６にジャンプする。処理の最初であれば、シーン候補は当然に選択されていないので、ステップ３１はＮＯであるから、図１０のサブルーチンのフローを終了して、図８のステップＳ１５に進む。
【００９３】
制御部１１は、操作検出部１１ｄによって、撮影シーン候補選択の指示操作がされたと判断すると（ステップＳ３０ＹＥＳ）、ステップＳ３２に進む。被写体検出部１１ｃは、ライブビュー画像の全体の中から、特徴ある被写体を抽出する（ステップＳ３２）。被写体検出部１１ｃは、更に、抽出された被写体からその被写体の種類を決定する（ステップＳ３３）。具体的な手法は、ステップ２２と同じであるので、省略する。被写体抽出部１１ｃは、被写体の種類の決定ができたか否かを制御部１１に通知する。
【００９４】
制御部１１は、被写体の種類が少なくとも１つは決定されたかを判断する（ステップＳ３４）。制御部１１は、被写体の種類が１つも決定されなかったと判断する場合には（ステップＳ３４ＮＯ）、図１０のサブルーチンのフローを終了して、図８のステップＳ１５に進む。
【００９５】
制御部１１は、被写体の種類が少なくとも１つは決定されたと判断する場合には（ステップＳ３４ＹＥＳ）、ステップＳ３５に進む。表示制御部１８は、種類の決定できた被写体にシーン候補カーソルを重複して表示させる（ステップＳ３５）。図４（２）で示す画面である。つまり、１つの被写体に限ることなく、種類が決定できた全ての被写体にシーン候補カーソルを表示させる。この場合、同じ被写体の種類であっても、シーン候補カーソルを別々に表示してもよい。例えば、画面に人が３人いて、被写体の種類として「人物」であるというシーン候補カーソルが３人に別々に付されていてもよい。
【００９６】
また、シーン設定部１１ｂは、プログラムデータ記憶部１２に記憶された撮影シーンデータの中から、上記で決定された被写体の種類に応じた撮影シーンを選択しておく。シーン設定部１１ｂは、被写体の種類が複数ある場合には、対応する複数の撮影シーンを選択しておく。
【００９７】
ここで、表示制御部１８は、図５（１）、（２）に示すように、シーン候補カーソルの代わりに、候補アイコンを表示させてもよい。被写体確認の邪魔にならなければ、候補アイコンの方が、対応する撮影シーンの内容もわかるからである。
【００９８】
制御部１１は、画面に表示されているシーン候補カーソルあるいは候補アイコンの中から、撮影者によって特定の撮影シーン（シーン候補）が選択されたかを、操作検出部１１ｄによって判断する（ステップＳ３６）。具体的には、シーン候補カーソルあるいは候補アイコンが付された箇所が指でタッチされることである。制御部１１は、撮影者から撮影シーンが選択されていないと判断する場合には（ステップＳ３６ＮＯ）、図１０のサブルーチンのフローを終了して、図８のステップＳ１５に進む。
【００９９】
制御部１１は、撮影者から撮影シーンが選択されたと判断する場合には（ステップＳ３６ＹＥＳ）、次に、制御部１１は、選択された撮影シーンが複数であるかを判断する（ステップＳ３７）。選択された特定の撮影シーンが複数でない、つまり、１つであると判断すれば（ステップＳ３７ＮＯ）、ステップＳ４０に進む。
【０１００】
シーン設定部１１ｂは、現在の撮影シーン（デフォルトではオートモード）を選択された撮影シーンに変更する（ステップＳ４０）。撮影条件設定部１１ａは、選択された新たな撮影シーンに応じて撮影条件を定める。例えば、画像処理部１７は、ライブビュー画像に対する画像処理の条件を変更する。
【０１０１】
表示制御部１８は、撮影モードアイコン５０の表示を変更する（ステップＳ４１）。具体的には、図４の態様では、表示制御部１８は、変更された撮影シーンのアイコン５４を表示させ、このアイコンを撮影モードアイコン５０に移動させて（図４（３））、撮影モードアイコン５０の表示を変更する（図４（４））。また、表示制御部１８は、変更後は、変更された撮影シーンの元になった被写体に継続してシーンカーソル５６を表示する（図４（４））。また、表示制御部１８は、図４（５）で示したように、新たな撮影シーンの切換えに便利なように、変更後もシーン候補カーソル５８の表示を継続させるようにしてもよい。
【０１０２】
一方、制御部１１は、選択された特定の撮影シーンが複数であると判断すれば（ステップＳ３７ＹＥＳ）ステップＳ３８に進む。図６、７で示した態様である。シーン設定部１１ｂは、その選択された複数の撮影シーンが結合可能かを判断する（ステップＳ３８）。シーン設定部１１ｂは、その選択された複数の撮影シーンが結合可能と判断する場合には（ステップＳ３８ＹＥＳ）、ステップＳ４０に進む。シーン設定部１１ｂは、現在の撮影シーンを結合された撮影シーンに変更して設定する（ステップＳ４０）。撮影条件設定部１１ａは、結合された撮影シーンに応じて撮影条件を定める。表示制御部１８は  図６（４）、（５）、（６）で示したような画面を表示させる（ステップＳ４１）。撮影シーンが変更された後、図８のステップＳ１５に進む。ステップＳ１５以降の処理は、説明済みなので省略する。
【０１０３】
逆に、図７で示した場合のように、シーン設定部１１ｂが、その選択された複数の撮影シーンが結合可能でないと判断する場合には（ステップＳ３８ＮＯ）、表示制御部１８は、図７（３）、（４）、（５）に示すようなエラー画面の表示をさせて（ステップＳ３９）、ステップＳ１５に戻る。
【０１０４】
以上説明したように、ダイレクト選択のモードでは、選択された被写体に対応する撮影シーンが自動的に設定されるので、撮影シーンに対する知識がなくても、希望する撮影シーンを簡単に設定することができる。
【０１０５】
また、選択設定のモードでは、画面に提示された設定可能な候補シーンの中から変更したい撮影シーンを選択することができるので、現在のライブビュー画像で選択できる撮影シーンを確認してから、もっとも希望にかなう撮影シーンを設定することができる。
【０１０６】
なお、制御部１１がプログラムデータ記憶部１２に格納された操作制御用のプログラムを読み出して実行されることで、上記被写体に応じた撮影シーンの選択設定が実現されるので、このようなソフトウェア処理に関する制御用プログラムも本発明となる。また、このような制御用プログラムが記録された記録媒体も本発明となる。なお、プログラムを格納する記録媒体としては、フラッシュメモリに限定されるものではなく、ＣＤ−ＲＯＭ、ＤＶＤ−ＲＯＭ等の光学記録媒体、ＭＤ等の磁気記録媒体、テープ媒体、ＩＣカードなどの半導体メモリであってもよい。
【０１０７】
上記本実施形態では、処理の実行を、ソフトウェア処理とハードウェア処理の組み合わせで説明したが、これに限られるものではなく、その組合わせは選択事項である。
【０１０８】
また、本実施の形態では、撮影条件制御装置をデジタルカメラ１に適用した例で説明したが、当然これに限られるものではなく、パソコンのカメラ部や携帯電話のカメラ部あるいはムービーカメラ等に適用してもよい。また、撮影者からの画面指示操作の手段をタッチパネル操作部１４だけで説明したが、当然これに限られるものではなく、ボタン操作部１３あるいはタッチパッドで行うようにしてもよい。
【符号の説明】
【０１０９】
１・・・デジタルカメラ、１１…制御部、１１ａ…撮影条件設定部、１１ｂ…シーン設定部、１１ｃ…被写体検出部、１１ｄ…操作検出部、１２…プログラムデータ記憶部、１３…ボタン操作部、１４…タッチパネル操作部、１５…撮像部、１６…ＳＤＲＡＭ、１７…画像処理部、１８…表示制御部、１９…表示部、２０…圧縮伸長部、２１…記録再生部、２２…画像記憶部、２５…バスライン、４０…画面、４２…手、５０…撮影モードアイコン、５２…被写体、５３・・・アイコン、５４、５４ａ、５４ｂ…候補アイコン、５６…シーンカーソル、５８、５８ａ、５８ｂ…シーン候補カーソル、ｐ…方向
【図１】
2010273167.tif 000004
【図２】
2010273167.tif 000005
【図３】
2010273167.tif 000006
【図４】
2010273167.tif 000007
【図５】
2010273167.tif 000008
【図６】
2010273167.tif 000009
【図７】
2010273167.tif 000010
【図８】
2010273167.tif 000011
【図９】
2010273167.tif 000012
【図１０】
2010273167.tif 000013